(57)【要約】      （修正有）【課題】口腔癌を触感により擬似的に体感可能とし、例えば自己触診により、口腔癌の早期発見を啓蒙するための口腔癌啓発用模型を提供する。【解決手段】口腔癌啓発用模型１は、基台２の上部に人の舌部を形象化した舌本体３を備えてなる。舌本体３は、全体をＪＩＳＫ６２５３に基づいてタイプＥデュロメータで測定されるゴム硬さを１０〜１５の範囲に設定したゴムあるいは合成樹脂材で形成してなる。また舌本体３の側辺部に形成される口腔癌１２（舌癌）を形象した部分は、舌本体３の表面部より一定の深度位置に舌本体３に包埋する状態で口腔癌形象体を配設してなる。この口腔癌形象体は、ＪＩＳＫ６２５３に基づいてタイプＥデュロメータで測定されるゴム硬さを３５〜４５の範囲に設定した全体環状のゴムあるいは合成樹脂材で形成してなる。【選択図】図３
0003173460.tif 000002
【実用新案登録請求の範囲】
【請求項１】
人の舌部を形象化してなり、全体をＪＩＳＫ６２５３に基づいてタイプＥデュロメータで測定されるゴム硬さを１０〜１５の範囲に設定したゴムあるいは合成樹脂材で形成してなる舌本体と、
舌本体の表面部より一定の深度位置に舌本体に包埋する状態で配設してなり、ＪＩＳＫ６２５３に基づいてタイプＥデュロメータで測定されるゴム硬さを３５〜４５の範囲に設定した全体環状のゴムあるいは合成樹脂材で形成してなる口腔癌形象体と、
からなることを特徴とする口腔癌啓発用模型。
【請求項２】
舌本体の大きさを実際の舌の大きさの２〜３倍程度である舌先から舌元に至る長さを２５０ｍｍ〜３００ｍｍ程度の長さに設定し、口腔癌形象体の舌本体の表面部からの包埋位置を２ｍｍ〜１２ｍｍ程度の深度位置に配設し、全体環状をなす口腔癌形象体の直径を１０〜１２ｍｍ程度の大きさで形成した請求項１に記載の口腔癌啓発用模型。
【請求項３】
口腔癌形象体の舌本体に対する包埋位置を、舌本体の左右いずれかの側辺の表面部位置から５ｍｍ〜１２ｍｍ程度の深度位置に配設してなる請求項２に記載の口腔癌啓発用模型。
【考案の詳細な説明】
【技術分野】
【０００１】
本考案は、口腔内における癌の部分を手の触感により擬似的に体感可能とし、医療従事者や公衆に口腔癌に関する知識を啓発させるための口腔癌啓発用模型に関する。
【背景技術】
【０００２】
今日、我が国における口腔癌の患者は年間6,000人程度とされており、高齢化社会の進行にともない、発生頻度も増加している。口腔癌に関し、諸外国における発生頻度は減少している中、我が国は先進国の中で唯一増加を示している。口腔癌の治療は年々進歩しており、早期発見された場合の5年生存率は90％と良好になってきている一方で、進行癌の5年生存率はでは50％と低い値を示している。口腔は、咀嚼、嚥下、発音など日常生活に必要不可欠な機能を有する器官であるため、口腔癌の発病は生命の予後、治療後のＱＯＬ維持とともに社会復帰の観点で重要な意味を持ち、口腔癌の早期発見、早期治療は他の癌と同様にその必要性が期待される。
【０００３】
こうした中、全国の一部市町村においては口腔癌の集団検診が実施されており、年々、実施市町村数、受診者数ともに増加し、国民の関心の高さが伺える。口腔は、直視が可能な部位であることから、他の臓器の癌の中でも早期発見、早期治療の可能性が高いものの、実際には早期に発見されることが少なく、専門医療機関を受診した時にはすでに進行癌である場合も少なくない。
【０００４】
口腔癌の早期発見には、口腔の自己チェックを啓蒙することが、極めて重要と考えられ、例えば公衆が口腔癌に対する正しい知識を身につけ、自己触診による正しい判断のもとに医療機関に受診に行くことが好ましい。こうすることで、我が国の口腔癌の患者数の減少、死亡数の減少、口腔保健の維持向上を図ることが期待される。
【０００５】
自己チェックにより、癌の早期発見を啓蒙するについては、従来、下記特許文献１に示すように、例えば自己触診により乳癌のしこりの存在を擬似的に体感することを可能とする乳癌啓発用模型が提案されており、本願の考案者らにおいては口腔癌の分野においても、同様な模型の開発を行ったところである。
【先行技術文献】
【特許文献】
【０００６】
【特許文献１】実用新案登録第３１３４１４５号公報
【０００７】
しかしながら、ひとくちに口腔癌を手の触感により擬似的に体感可能とする模型とはいっても、口腔癌の硬さや病巣を特定の材料で表現するについては困難をきわめ、本願の考案者は試行錯誤を重ね、ようやく医療従事者や公衆に口腔癌に関する知識を啓発させるため、より実際の口腔癌の硬さや病巣に近い触感を持つ口腔癌啓発用模型を開発するに至った次第である。
【考案の概要】
【考案が解決しようとする課題】
【０００８】
すなわち本考案は、口腔癌を手の触感により擬似的に体感可能とし、例えば自己触診により、口腔癌の早期発見を啓蒙するための口腔癌啓発用模型の提供を目的とするものである。
【課題を解決するための手段】
【０００９】
上述のような本考案の目的を達成するために、本願の請求項１に記載の考案は、人の舌部を形象化してなり、全体をＪＩＳＫ６２５３に基づいてタイプＥデュロメータで測定されるゴム硬さを１０〜１５の範囲に設定したゴムあるいは合成樹脂材で形成してなる舌本体と、舌本体の表面部より一定の深度位置に舌本体に包埋する状態で配設してなり、ＪＩＳＫ６２５３に基づいてタイプＥデュロメータで測定されるゴム硬さを３５〜４５の範囲に設定した全体環状のゴムあるいは合成樹脂材で形成してなる口腔癌形象体と、からなることを特徴とする口腔癌啓発用模型としたものである。
【００１０】
また本考案の請求項２は、舌本体の大きさを実際の舌の大きさの２〜３倍程度である舌先から舌元に至る長さを２５ｍｍ〜３０ｍｍ程度の長さに設定し、口腔癌形象体の舌本体の表面部からの包埋位置を２ｍｍ〜１２ｍｍ程度の深度位置に配設し、全体環状をなす口腔癌形象体の直径を１０〜１２ｍｍ程度の大きさで形成した請求項１に記載の口腔癌啓発用模型としている。
【００１１】
また本考案の請求項３は、口腔癌形象体の舌本体に対する包埋位置を、舌本体の左右いずれかの側辺の表面部位置から５ｍｍ〜１２ｍｍ程度の深度位置に配設してなる請求項２に記載の口腔癌啓発用模型としている。
【考案の効果】
【００１２】
本考案によれば、実際の口腔癌の硬さや病巣に近い触感を持つ口腔癌啓発用模型の提供を可能とし、例えば自己触診により、口腔癌の早期発見を啓蒙することが可能となる。
【図面の簡単な説明】
【００１３】
【図１】本考案の実施形態に係る口腔癌啓発用模型を上面から観た平面図である。
【図２】図１に示す口腔癌啓発用模型の矢印ＩＩ方向より観た側面図である。
【図３】図１に示す口腔癌啓発用模型の矢印ＩＩＩ方向より観た側面図である。
【図４】図１のＩＶ−ＩＶ線に沿う断面図である。
【図５】舌本体に包埋される口腔癌形象体の全体を示す斜視図である。
【考案を実施するための形態】
【００１４】
以下、本考案の実施形態に係る口腔癌啓発用模型について図面を参照しつつ説明する。本考案の実施形態に係る口腔癌啓発用模型１は、図２、図３に示すように基台２の上部に人の舌部を形象化した舌本体３を備えてなり、実施形態では舌本体３の大きさを人の実際の舌の大きさの２〜３倍程度である舌先から舌元に至る長さＬを２５０ｍｍ〜３００ｍｍ程度の長さに設定している（図１参照）。すなわち、舌本体３は例えば金属等で形成される基台２の上部に、合成樹脂製の支持体４を介してその上部に配設される。
【００１５】
舌本体３は、全体をゴムあるいは合成樹脂材で形成してなり、実施形態ではシリコーンゴムを予め形成した型材に充填して固化することで形成してなる。ここで舌本体３は、全体をＪＩＳＫ６２５３に基づいてタイプＥデュロメータ（硬さ試験機：ＧＳ−７２１Ｇ，テクロック）で測定されるゴム硬さを１０〜１５の範囲に設定するべく、ゴムあるいは合成樹脂材を型材に充填・固化して形成するものとされ、これにより図１ないし図３に示す外観の舌本体３を形成するものとされる。このようにゴムあるいは合成樹脂材を型材に充填・固化して形成する舌本体３は、表面に様々な疾患を形象化した部位を備えるものとされ、例えば図１や図２，図３に示すように正常組織、良性組織としての有郭乳頭５，葉状乳頭６，溝状舌７，茸状乳頭８，葉状乳頭の肥大化部９，糸状乳頭の肥大化部１０，口内炎１１などが形成される。
【００１６】
これに対して、悪性の組織として口腔癌１２（舌癌）については、舌本体３の右側の側辺位置に形成される。これは悪性の組織として実際の口腔癌１２（舌癌）が舌の側部に多く発生することに基づく。舌本体３における口腔癌１２の形象は、図５に示す全体環状（ドーナツ形状）からなる口腔癌形象体１３を、舌本体３を上記ゴムあるいは合成樹脂材を型材に充填・固化して形成する際に、舌本体３の表面部より一定の深度位置に、舌本体３に包埋する状態で配設して形成される。ここで舌本体３に包埋する口腔癌形象体１３は、ＪＩＳＫ６２５３に基づいてタイプＥデュロメータ（硬さ試験機：ＧＳ−７２１Ｇ，テクロック）で測定されるゴム硬さを３５〜４５の範囲に設定した全体環状のゴムあるいは合成樹脂材で形成してなり、実施形態ではシリコーンゴムを予め形成した型材に充填して形成してなる。全体環状をなすよう形成される口腔癌形象体１３は、図５に示すようにその直径Ｗを１０〜１２ｍｍ程度の大きさとなるように予め形成される。すなわちこうして形成された口腔癌形象体１３は、上記ゴムあるいは合成樹脂材を型材に充填・固化して舌本体３を形成する際に、形成される舌本体３の表面部より一定の深度位置に留置することで悪性の組織として口腔癌１２を舌本体３の表面に形象化するようにしている。
【００１７】
ここで形成する舌本体３において、口腔癌形象体１３の舌本体３の表面部からの包埋位置は、表面部に対して２ｍｍ〜１２ｍｍ程度の深度位置（好ましくは５ｍｍ程度）に配設するものとされ、図４の断面図に示すように口腔癌形象体１３は、舌本体３の内部において舌本体３に一体に包埋する状態で配設されることになる。
【００１８】
このようにして形成してなる口腔癌啓発用模型１については、悪性の組織として口腔癌１２を手の触感により擬似的に体感できる部位が舌本体３の表面に形成されることとなり、実際の口腔癌の硬さ、形状に極めて似た組織を硬さの異なる舌本体３と口腔癌形象体１３により表現することが可能となった。すなわち、本願の考案者らにおいては、数多くの口腔癌の症例や実際の口腔癌の触感に基づいて本口腔癌啓発用模型１を完成するに至ったものであり、本模型１により口腔内における癌の部分を手の触感により擬似的に体感することが可能となる。また本模型によれば、正常組織、良性組織としての有郭乳頭５，葉状乳頭６，溝状舌７，茸状乳頭８，葉状乳頭の肥大化部９，糸状乳頭の肥大化部１０，口内炎１１などについても、悪性の組織として口腔癌１２と比較して舌本体３の表面において形象化されることとなり、医療従事者はもちろんのこと、公衆に口腔癌に関する知識を体感により啓発することが可能となる。
【産業上の利用可能性】
【００１９】
本考案に係る口腔癌啓発用模型１は、例えば病院、保健所、歯科医院などの待合室や区役所などの公共施設に展示し、公衆が模型を触り、口腔癌を手の触感により擬似的に体感することが可能となり、口腔癌の早期発見を啓蒙する活動に利用することが可能となる。
【符号の説明】
【００２０】
１                              口腔癌啓発用模型
２                              基台
３                              舌本体
４                              支持体
５                              有郭乳頭
６                              葉状乳頭
７                              溝状舌
８                              茸状乳頭
９                              葉状乳頭の肥大化部
１０                              糸状乳頭の肥大化部
１１                              口内炎
１２                              口腔癌（舌癌）
１３                              口腔癌形象体
【図４】
0003173460.tif 000003
【図５】
0003173460.tif 000004
【図１】
0003173460.tif 000005
【図２】
0003173460.tif 000006
【図３】
0003173460.tif 000007